(57)【要約】【課題】冷蔵庫からユーザまでの距離に応じて適切な情報を提示することができる技術を提供する。【解決手段】制御部は、人感センサが冷蔵庫本体から第１の距離の範囲内、かつ、前記第１の距離よりも短い第２の距離の範囲外に存在する人を検出した場合は、所定の広告画面を操作表示部の中央部に表示し、前記人感センサが前記冷蔵庫本体から前記第２の距離の範囲内に存在する人を検出した場合は、冷蔵庫の機能を実行するための所定の操作ボタンを前記操作表示部の中央部に表示する。【選択図】図３
2020193729.tif 000002
【特許請求の範囲】
【請求項１】
冷蔵庫本体と、
前記冷蔵庫本体の前面開口部を開閉する扉と、
前記扉の前面部に設けられている操作表示部と、
前記冷蔵庫本体から所定の範囲内に存在する人を検出する人感センサと、
制御部と、を備えており、
前記制御部は、前記人感センサが前記冷蔵庫本体から第１の距離の範囲内、かつ、前記第１の距離よりも短い第２の距離の範囲外に存在する人を検出した場合は、所定の広告画面を前記操作表示部の中央部に表示し、前記人感センサが前記冷蔵庫本体から前記第２の距離の範囲内に存在する人を検出した場合は、冷蔵庫の機能を実行するための所定の操作ボタンを前記操作表示部の中央部に表示する、冷蔵庫。
【請求項２】
前記制御部は、前記人感センサが前記冷蔵庫本体から前記第２の距離の範囲内に存在する人を検出した場合は、前記操作表示部の中央部に表示していた前記広告画面を前記操作表示部の周縁部に表示する、請求項１に記載の冷蔵庫。
【請求項３】
冷蔵庫と携帯端末を備えている冷蔵庫システムであって、
前記冷蔵庫は、
冷蔵庫本体と、
前記冷蔵庫本体の前面開口部を開閉する扉と、
前記扉の前面部に設けられている操作表示部と、
前記冷蔵庫本体から所定の範囲内に存在する人を検出する人感センサと、
冷蔵庫通信部と、
冷蔵庫制御部と、を備えており、
前記携帯端末は、
端末本体と、
前記端末本体の前面部に設けられている表示部と、
端末通信部と、
端末制御部と、を備えており、
前記冷蔵庫と前記携帯端末は、前記冷蔵庫通信部と前記端末通信部を介した近距離無線通信を実行可能に構成されており、
前記冷蔵庫制御部は、
前記人感センサが前記冷蔵庫本体から第１の距離の範囲内、かつ、前記第１の距離よりも短い第２の距離の範囲外に存在する人を検出した場合は、所定の広告画面を前記操作表示部の中央部に表示し、前記人感センサが前記冷蔵庫本体から前記第２の距離の範囲内に存在する人を検出した場合は、前記冷蔵庫の機能を実行するための所定の操作ボタンを前記操作表示部の中央部に表示し、前記操作表示部の中央部に表示していた前記広告画面を前記操作表示部の周縁部に表示し、
前記操作表示部の周縁部に表示した前記広告画面がタッチ操作された場合は、タッチ操作された前記広告画面に関連する広告関連情報を前記冷蔵庫通信部と前記端末通信部を介した近距離無線通信によって前記携帯端末に供給し、
前記端末制御部は、前記近距離無線通信によって供給された前記広告関連情報を取得し、取得した前記広告関連情報を表示部に表示する、冷蔵庫システム。
【請求項４】
前記携帯端末は、前記冷蔵庫と前記携帯端末を関連付けるためのアプリケーションを記憶する端末記憶部を備えており、
前記冷蔵庫制御部は、前記アプリケーションによって前記冷蔵庫と関連付けられている前記携帯端末が前記冷蔵庫と近距離無線通信を実行可能な範囲内に存在する場合は、前記携帯端末から注文された商品及び／又はサービスの注文履歴を特定する注文履歴情報に関連する特定広告画面を前記操作表示部の中央部に表示する、請求項３に記載の冷蔵庫システム。
【請求項５】
前記冷蔵庫制御部は、前記操作表示部の中央部に表示した前記特定広告画面がタッチ操作された場合は、タッチ操作された前記特定広告画面に関連する特定広告関連情報を前記冷蔵庫通信部と前記端末通信部を介した近距離無線通信によって前記アプリケーションによって前記冷蔵庫と関連付けられている前記携帯端末に供給し、
前記端末制御部は、前記近距離無線通信によって供給された前記特定広告関連情報を取得し、取得した前記特定広告関連情報を表示部に表示する、請求項４に記載の冷蔵庫システム。
【発明の詳細な説明】
【技術分野】
【０００１】
本明細書に開示する技術は、冷蔵庫及び冷蔵庫システムに関する。
【背景技術】
【０００２】
特許文献１に冷蔵庫が開示されている。特許文献１の冷蔵庫は、広告などを表示させるディスプレイと、表示の切り替えや設定情報を入力するための操作部とを備えている。特許文献１の冷蔵庫では、インターネットを介して広告配信業者端末から送られてきた広告チラシの画像データがディスプレイに表示される。
【先行技術文献】
【特許文献】
【０００３】
【特許文献１】特開２００３−１６２２４３号公報
【発明の概要】
【発明が解決しようとする課題】
【０００４】
近年の冷蔵庫では、操作表示部（例えばタッチ操作式のディスプレイ）を備えているものが存在する。この構成では、操作表示部に常に同じ態様で情報が表示されていると冷蔵庫のユーザにとっての利便性が悪くなることがある。例えば、操作表示部の中央部に常に同じ広告チラシの画像データが同じ態様で表示されているとユーザにとっての利便性が悪くなることがある。本明細書は、冷蔵庫からユーザまでの距離に応じて適切な情報を提示することができる技術を提供する。
【課題を解決するための手段】
【０００５】
本明細書に開示する冷蔵庫は、冷蔵庫本体と、前記冷蔵庫本体の前面開口部を開閉する扉と、前記扉の前面部に設けられている操作表示部と、前記冷蔵庫本体から所定の範囲内に存在する人を検出する人感センサと、制御部と、を備えている。前記制御部は、前記人感センサが前記冷蔵庫本体から第１の距離の範囲内、かつ、前記第１の距離よりも短い第２の距離の範囲外に存在する人を検出した場合は、所定の広告画面を前記操作表示部の中央部に表示し、前記人感センサが前記冷蔵庫本体から前記第２の距離の範囲内に存在する人を検出した場合は、冷蔵庫の機能を実行するための所定の操作ボタンを前記操作表示部の中央部に表示する。
【図面の簡単な説明】
【０００６】
【図１】実施例に係る冷蔵庫システムの概略図である。
【図２】実施例に係る冷蔵庫システムのブロック図である。
【図３】広告画面表示処理のフローチャートである。
【図４】冷蔵庫の操作表示部に表示される広告画面の一例を示す図である。
【図５】冷蔵庫の操作表示部に表示される広告画面と操作ボタンの一例を示す図である。
【図６】広告関連情報供給処理のフローチャートである。
【図７】広告関連情報表示処理のフローチャートである。
【図８】携帯端末の操作表示部に表示される広告関連情報の一例を示す図である。
【図９】特定広告画面表示処理のフローチャートである。
【図１０】冷蔵庫の操作表示部に表示される特定広告画面の一例を示す図である。
【図１１】特定広告関連情報表示処理のフローチャートである。
【図１２】携帯端末の操作表示部に表示される特定広告関連情報の一例を示す図である。
【発明を実施するための形態】
【０００７】
実施例に係る冷蔵庫システム１について図面を参照して説明する。図１に示すように、実施例に係る冷蔵庫システム１は、冷蔵庫２と携帯端末３を備えている。
【０００８】
（冷蔵庫２の構成；図１、図２）
まず、冷蔵庫２について説明する。冷蔵庫２は、冷蔵庫本体４０と、扉４３とを備えている。冷蔵庫本体４０は、例えば冷蔵室や冷凍室（いずれも図示省略）を備えている。冷蔵室は、冷蔵温度帯（例えば１〜４℃）の貯蔵室であり、食材（例えば人参や豚肉等）を貯蔵する。冷凍室は、冷凍温度帯（例えば−１０〜−２０℃）の貯蔵室であり、食材（例えばアイスクリーム等）を貯蔵する。冷蔵庫本体４０は、人感センサ４を備えている。人感センサ４は、冷蔵庫本体４０から所定の範囲内に存在する人Ｍを検出することができる。人感センサ４は、第１センサ４１と第２センサ４２を備えている。
【０００９】
第１センサ４１は、例えば、赤外線センサや超音波センサである。第１センサ４１は、冷蔵庫本体４０から所定の第１の距離Ｌ１の範囲内に存在する人Ｍ（例えば冷蔵庫２のユーザ）を検出することができる。第１の距離Ｌ１は、例えば３ｍである。第１センサ４１が第１の距離Ｌ１の範囲内に存在する人Ｍを検出すると、第１センサ４１から後述する制御部２０に第１検出信号が送信される。
【００１０】
第２センサ４２は、例えば、赤外線センサや超音波センサである。第２センサ４２は、冷蔵庫本体４０から所定の第２の距離Ｌ２の範囲内に存在する人Ｍ（例えば冷蔵庫２のユーザ）を検出することができる。第２の距離Ｌ２は、上記の第１の距離Ｌ１よりも短い距離である。第２の距離Ｌ２は、例えば１ｍである。第２の距離Ｌ２の範囲の外縁Ｒ２は、第１の距離Ｌ１の範囲の外縁Ｒ１よりも冷蔵庫本体４０から近い位置に存在する。第２センサ４２が第２の距離Ｌ２の範囲内に存在する人Ｍを検出すると、第２センサ４２から後述する制御部２０に第２検出信号が送信される。
【００１１】
冷蔵庫２の扉４３は、冷蔵庫本体４０の前面部に取り付けられている。冷蔵庫２の扉４３は、冷蔵庫本体４０の前面開口部（図示省略）を開閉する。冷蔵庫２の扉４３の前面部には操作表示部２４が設けられている。操作表示部２４は、例えばタッチ操作式のディスプレイ（いわゆるタッチパネル）である。操作表示部２４は、様々な情報を表示することができる。例えば、操作表示部２４は、所定の広告画面Ｄ１、Ｄ２を表示することができる。また、操作表示部２４は、冷蔵庫２の機能を実行するための所定の操作ボタンＢ１−Ｂ４を表示することができる。
【００１２】
また、操作表示部２４は、様々な操作を受け付けることができる。例えば、操作表示部２４は、操作表示部２４に表示された広告画面Ｄ１、Ｄ２を冷蔵庫２のユーザがタッチするタッチ操作を受け付けることができる。また、操作表示部２４は、操作表示部２４に表示された操作ボタンＢ１−Ｂ４を冷蔵庫２のユーザがタッチするタッチ操作を受け付けることができる。
【００１３】
図２に示すように、冷蔵庫２は、制御部２０と、記憶部２１と、通信部２３とを備えている。また、冷蔵庫２は、上述した操作表示部２４と、人感センサ４（第１センサ４１及び第２センサ４２）とを備えている。
【００１４】
冷蔵庫２の記憶部２１は、例えばＲＯＭやＲＡＭを備えている。記憶部２１には様々な情報が記憶される。例えば、記憶部２１には広告情報が記憶されている。広告情報は、例えば、食材（人参や豚肉）の広告の情報である。広告の内容は特に限定されるものではない。広告情報は、例えば、制御部２０が外部のサーバ（図示省略）からネットワーク９０（例えばインターネット）を介して取得する。制御部２０は、取得した広告情報を記憶部２１に記憶する。外部のサーバは、例えば、八百屋や、精肉店や、スーパー等が管理しているサーバである。外部のサーバは、例えば、人参や豚肉の特売日に関する広告情報をネットワーク９０を介して配信する。
【００１５】
通信部２３は、冷蔵庫２がネットワーク９０を介した通信を実行するためのインターフェースである。また、通信部２３は、冷蔵庫２が携帯端末３との通信を実行するためのインターフェースでもある。通信部２３は、冷蔵庫２が携帯端末３と近距離無線通信を実行するためのデバイスを備えている。通信部２３は、例えば、近距離無線通信を実行するために、ＮＦＣ（Near Field Communication）のリーダ／ライタを備えている。
【００１６】
制御部２０は、例えばＣＰＵを備えている。制御部２０は、様々な処理や制御を実行することができる。制御部２０が実行する処理や制御については後述する。
【００１７】
（携帯端末３の構成；図１、図２）
次に、携帯端末３について説明する。携帯端末３は、例えばスマートフォンやタブレットＰＣである。携帯端末３は、図１に示すように、端末本体５０と、端末本体５０の前面部に設けられている操作表示部３４とを備えている。操作表示部３４は、例えばタッチ操作式のディスプレイ（いわゆるタッチパネル）である。操作表示部３４は、様々な情報を表示することができる。例えば、操作表示部３４は、後述する広告関連情報を表示することができる。また、操作表示部３４は、様々な操作を受け付けることができる。
【００１８】
図２に示すように、携帯端末３は、制御部３０と、記憶部３１と、通信部３３と、上述した操作表示部３４とを備えている。
【００１９】
携帯端末３の記憶部３１は、例えばＲＯＭやＲＡＭを備えている。記憶部３１には様々な情報が記憶される。例えば、記憶部３１には端末特定情報が記憶されている。端末特定情報は、携帯端末３を特定するための情報である。
【００２０】
通信部３３は、携帯端末３がネットワーク９０を介して通信を実行するためのインターフェースである。また、通信部３３は、携帯端末３が冷蔵庫２との通信を実行するためのインターフェースでもある。通信部３３は、携帯端末３が冷蔵庫２と近距離無線通信を実行するためのデバイスを備えている。通信部３３は、例えば、ＩＣチップが内蔵されたＮＦＣタグを備えている。ＩＣチップには、携帯端末３を特定するための端末特定情報が記憶されている。
【００２１】
制御部３０は、例えばＣＰＵを備えている。制御部３０は、様々な処理や制御を実行することができる。制御部３０が実行する処理や制御については後述する。
【００２２】
（広告画面表示処理；図３）
次に、上記の冷蔵庫システム１で実行される広告画面表示処理について説明する。図３は、広告画面表示処理のフローチャートである。広告画面表示処理は、例えば、冷蔵庫２の電源がオンになると開始される。図３に示すように、広告画面表示処理のＳ１０では、冷蔵庫２の制御部２０が、第１センサ４１が冷蔵庫本体４０から第１の距離Ｌ１の範囲内に存在する人Ｍ（例えば冷蔵庫２のユーザ）を検出したか否かを判断する。第１センサ４１が第１の距離Ｌ１の範囲内に存在する人Ｍを検出した場合は、第１センサ４１から制御部２０に第１検出信号が送信される。制御部２０は、第１検出信号を受信した場合は、Ｓ１０でＹＥＳと判断してＳ１１に進む。制御部２０は、第１検出信号を受信しない場合は、Ｓ１０でＮＯと判断して待機する。
【００２３】
続くＳ１１では、制御部２０が、第２センサ４２が冷蔵庫本体４０から第２の距離Ｌ２の範囲内に存在する人Ｍを検出したか否かを判断する。第２センサ４２が第２の距離Ｌ２の範囲内に存在する人Ｍを検出した場合は、第２センサ４２から制御部２０に第２検出信号が送信される。制御部２０は、第２検出信号を受信した場合は、Ｓ１１でＹＥＳと判断してＳ１２に進む。一方、制御部２０は、第２検出信号を受信しない場合は、Ｓ１１でＮＯと判断してＳ１３に進む。
【００２４】
上記のＳ１０でＹＥＳかつＳ１１でＮＯの場合は、冷蔵庫本体４０から第１の距離Ｌ１の範囲内に人Ｍが存在するが、冷蔵庫本体４０から第２の距離Ｌ２の範囲内には人Ｍが存在しない場合である。
【００２５】
上記のＳ１１でＮＯの後のＳ１２では、制御部２０が、操作表示部２４の中央部に所定の広告画面を表示する。制御部２０は、操作表示部２４に１個又は複数個の広告画面を表示する。制御部２０は、記憶部２１に記憶されている広告情報に基づいて操作表示部２４に広告画面を表示する。例えば、制御部２０は、図４に示すように、人参の広告画面Ｄ１や豚肉の広告画面Ｄ２等を操作表示部２４の中央部に表示する。操作表示部２４の中央部は、操作表示部２４の横方向の中央部及び／又は縦方向の中央部である。図３に示すＳ１２の処理が終了するとリターンに進む。
【００２６】
一方、上記のＳ１１でＹＥＳの後のＳ１３では、制御部２０が、操作表示部２４の周縁部に所定の広告画面を表示する。制御部２０は、操作表示部２４に１個又は複数個の広告画面を表示する。制御部２０は、記憶部２１に記憶されている広告情報に基づいて操作表示部２４に広告画面を表示する。例えば、制御部２０は、図５に示すように、人参の広告画面Ｄ１や豚肉の広告画面Ｄ２等を操作表示部２４の周縁部に表示する。操作表示部２４の周縁部は、操作表示部２４の中央部の周囲の部分である。
【００２７】
制御部２０は、図３に示すＳ１３の処理を実行する場合に、上記のＳ１２の処理を実行した後にリターンを経てＳ１３の処理を実行する場合は、Ｓ１２で操作表示部２４の中央部に表示した広告画面Ｄ１、Ｄ２（図４参照）を、Ｓ１３で操作表示部２４の周縁部に表示する（図５参照）。
【００２８】
また、Ｓ１３では、制御部２０が、操作表示部２４の中央部に冷蔵庫２の機能を実行するための所定の操作ボタンを表示する。制御部２０は、操作表示部２４に１個又は複数個の操作ボタンを表示する。例えば、制御部２０は、図５に示すように、冷蔵ボタンＢ１、冷凍ボタンＢ２、製氷ボタンＢ３及び節電ボタンＢ４を操作表示部２４の中央部に表示する。例えば、冷蔵ボタンＢ１は、冷蔵庫２の冷蔵温度を設定するためのボタンであり、冷凍ボタンＢ２は、冷蔵庫２の冷凍温度を設定するためのボタンである。また、製氷ボタンＢ３は、冷蔵庫２の製氷機能のオン／オフを設定するためのボタンであり、節電ボタンＢ４は、冷蔵庫２の節電機能のオン／オフを設定するためのボタンである。冷蔵庫２の機能を実行するための操作ボタンの種類は特に限定されるものではない。なお、上記のＳ１２では、制御部２０は、冷蔵庫２の機能を実行するための操作ボタンＢ１−Ｂ４を操作表示部２４に表示しない（図４参照）。制御部２０は、Ｓ１３の処理が終了するとリターンに進む。
【００２９】
その後、制御部２０は、上記の広告画面表示処理を繰り返す。上記の広告画面表示処理は、例えば冷蔵庫２の電源がオフになると終了する。
【００３０】
（具体的な状況）
次に、具体的な状況について説明する。上記の冷蔵庫システム１では、図１に示すように、冷蔵庫本体４０から第１の距離Ｌ１の範囲内に人Ｍ（冷蔵庫２のユーザ）が存在せず、冷蔵庫本体４０から第１の距離Ｌ１の範囲外に人Ｍが存在する場合は、第１センサ４１と第２センサ４２のいずれもが人Ｍを検出しない。この場合は、図３に示すように、冷蔵庫２の制御部２０がＳ１０でＮＯと判断する。
【００３１】
その後、例えば人Ｍが冷蔵庫２に接近してゆくことによって、その人Ｍが冷蔵庫本体４０から第１の距離Ｌ１の範囲内かつ第２の距離Ｌ２の範囲外の領域に進入したとする。この場合は、図３に示すように、制御部２０が、Ｓ１０でＹＥＳかつＳ１１でＮＯと判断してＳ１２に進む。Ｓ１２では、制御部２０が、操作表示部２４の中央部に広告画面Ｄ１、Ｄ２を表示する（図４参照）。
【００３２】
その後、例えば人Ｍが冷蔵庫２に更に接近してゆくことによって、その人Ｍが冷蔵庫本体４０から第２の距離Ｌ２の範囲内の領域に進入したとする。この場合は、図３に示すように、制御部２０が、Ｓ１０でＹＥＳかつＳ１１でＹＥＳと判断してＳ１３に進む。Ｓ１３では、制御部２０が、操作表示部２４の周縁部に所定の広告画面Ｄ１、Ｄ２を表示する（図５参照）。制御部２０は、上記のＳ１２で操作表示部２４の中央部に表示していた広告画面Ｄ１、Ｄ２を操作表示部２４の周縁部に表示する。また、Ｓ１３では、制御部２０が、操作表示部２４の中央部に所定の操作ボタンＢ１−Ｂ４を表示する（図５参照）。
【００３３】
その後、例えば人Ｍが冷蔵庫２から離れてゆくことによって、その人Ｍが第２の距離Ｌ２の範囲外かつ第１の距離Ｌ１の範囲内の領域に進入したとする。この場合は、図３に示すように、制御部２０が、Ｓ１０でＹＥＳかつＳ１１でＮＯと判断してＳ１２に進む。Ｓ１２では、制御部２０が、操作表示部２４の中央部に広告画面Ｄ１、Ｄ２を表示する（図４参照）。制御部２０は、操作表示部２４の中央部に所定の操作ボタンＢ１−Ｂ４を表示しない。
【００３４】
以上、第１実施例について説明した。上記の説明から明らかなように、第１実施例では、制御部２０が、人感センサ４が冷蔵庫本体４０から第１の距離Ｌ１の範囲内、かつ、第２の距離Ｌ２の範囲外に存在する人Ｍを検出した場合は、広告画面Ｄ１、Ｄ２を操作表示部２４の中央部に表示する（図３のＳ１０でＹＥＳ、Ｓ１１でＮＯ、Ｓ１２、図４参照）。また、制御部２０は、人感センサ４が冷蔵庫本体４０から第２の距離Ｌ２の範囲内に存在する人Ｍを検出した場合は、操作ボタンＢ１−Ｂ４を操作表示部２４の中央部に表示する（Ｓ１０でＹＥＳ、Ｓ１１でＹＥＳ、Ｓ１３、図５参照）。
【００３５】
この構成によれば、人Ｍ（冷蔵庫２のユーザ）が冷蔵庫本体４０から第１の距離Ｌ１の範囲内、かつ、第２の距離Ｌ２の範囲外に存在するときには、その人Ｍに広告画面Ｄ１、Ｄ２を提示することができる。また、その人Ｍが冷蔵庫本体４０から第２の距離Ｌ２の範囲内に存在するときには、操作ボタンＢ１−Ｂ４を提示することができる。そのため、人Ｍが冷蔵庫２に接近しているがその人Ｍが操作表示部２４を操作できる位置まで接近していない場合には、その人Ｍに広告画面Ｄ１、Ｄ２を提示することができる。また、その人Ｍが操作表示部２４を操作できる位置まで接近した場合には、その人Ｍに操作ボタンＢ１−Ｂ４を提示することができる。これによって、冷蔵庫２から人Ｍ（冷蔵庫２のユーザ）までの距離に応じて適切な情報を提示することができる。
【００３６】
また、第１実施例では、制御部２０が、人感センサ４が冷蔵庫本体４０から第２の距離Ｌ２の範囲内に存在する人Ｍを検出した場合は、操作表示部２４の中央部に表示していた広告画面Ｄ１、Ｄ２を操作表示部２４の周縁部に表示する（図３のＳ１３参照）。この構成によれば、人Ｍが操作表示部２４を操作できる位置まで冷蔵庫２に接近した場合には、広告画面Ｄ１、Ｄ２を適切な位置に表示することができる。
【００３７】
以上、一実施例について説明したが、具体的な態様は上記の実施例に限定されるものではない。以下の説明では、上記の説明における構成と同様の構成については、同一の符号を付して説明を省略する。
【００３８】
（第２実施例）
第２実施例に係る冷蔵庫システム１について説明する。第２実施例に係る冷蔵庫システム１では、冷蔵庫２と携帯端末３が、冷蔵庫２の通信部２３と携帯端末３の３３を介した近距離無線通信を実行可能に構成されている。図１に示すように、冷蔵庫２と携帯端末３は、所定の第３の距離Ｌ３の範囲内に接近すると、近距離無線通信を実行可能な状態になる。第３の距離Ｌ３は、例えば、上述した第２の距離Ｌ２と同じ距離である。他の実施例では、第３の距離Ｌ３は、第２の距離Ｌ２よりも短い距離であってもよい。
【００３９】
冷蔵庫２の制御部２０は、通信部２３、３３を介した近距離無線通信によって、携帯端末３の記憶部３１に記憶されている端末特定情報を取得することができる。端末特定情報は、携帯端末３を特定するための情報である。また、制御部２０は、通信部２３、３３を介した近距離無線通信によって、記憶部２１に記憶されている広告関連情報を携帯端末３に供給することができる。広告関連情報は、操作表示部２４に表示される広告画面Ｄ１、Ｄ２に関連する情報である（図４、図５参照）。例えば、広告関連情報は、人参の値段や豚肉の値段等の情報である。また、広告関連情報は、例えば、人参の生産地や豚肉の生産地等の情報である。広告関連情報の内容は特に限定されるものではない。広告関連情報は、例えば、制御部２０が外部のサーバ（図示省略）からネットワーク９０を介して取得する。制御部２０が取得した広告関連情報は記憶部２１に記憶される。
【００４０】
（広告関連情報供給処理；図６）
次に、上記の冷蔵庫システム１で実行される広告関連情報供給処理について説明する。図６は、広告関連情報供給処理のフローチャートである。広告関連情報供給処理は、例えば、冷蔵庫２の電源がオンになると開始される。図６に示すように、広告関連情報供給処理のＳ２０では、冷蔵庫２の制御部２０が、携帯端末３の端末特定情報を取得したか否かを判断する。冷蔵庫２と携帯端末３が所定の第３の距離Ｌ３の範囲内まで接近すると、冷蔵庫２と携帯端末３の間で通信部２３、３３を介した近距離無線通信が実行可能な状態になる（図１参照）。例えば、携帯端末３を所持した人Ｍ（冷蔵庫２及び携帯端末３のユーザ）が、冷蔵庫２から第３の距離Ｌ３の範囲内まで接近すると、冷蔵庫２と携帯端末３の間で近距離無線通信が実行可能な状態になる。近距離無線通信が実行可能な状態になると、冷蔵庫２の制御部２０が、携帯端末３の記憶部３１に記憶されている端末特定情報を自動的に取得する。制御部２０は、端末特定情報を取得した場合は、Ｓ２０でＹＥＳと判断してＳ２１に進む。そうでない場合は、Ｓ２０で制御部２０がＮＯと判断して待機する。冷蔵庫２と携帯端末３が第３の距離Ｌ３の範囲内まで接近していない場合は、Ｓ２０で制御部２０がＮＯと判断する。
【００４１】
また、制御部２０は、携帯端末３を所持した人Ｍが冷蔵庫２から所定の第２の距離Ｌ２の範囲内まで接近すると、操作表示部２４の周縁部に広告画面Ｄ１、Ｄ２を表示する（第１実施例の図３のＳ１３、図５参照）。
【００４２】
図６に示すＳ２０でＹＥＳの後のＳ２１では、制御部２０が、操作表示部２４の周縁部に表示されている広告画面Ｄ１、Ｄ２（図５参照）のいずれかがタッチ操作されたか否かを判断する。広告画面Ｄ１、Ｄ２のいずれか（例えばＤ１）がタッチ操作された場合は、Ｓ２１で制御部２０がＹＥＳと判断してＳ２２に進む。例えば、冷蔵庫２に接近した人Ｍ（冷蔵庫２及び携帯端末３のユーザ）が、操作表示部２４の周縁部に表示されている広告画面Ｄ１をタッチ操作すると、制御部２０がＹＥＳと判断する。一方、広告画面Ｄ１、Ｄ２がタッチ操作されない場合は、Ｓ２１で制御部２０がＮＯと判断してＳ２３に進む。
【００４３】
Ｓ２１でＮＯの後のＳ２３では、制御部２０が、上記のＳ２０でＹＥＳと判断してから所定時間が経過したか否かを判断する。所定時間は、例えば３分である。所定時間が経過した場合は、Ｓ２３で制御部２０がＹＥＳと判断して広告関連情報供給処理を終了する。そうでない場合は、Ｓ２３で制御部２０がＮＯと判断してＳ２１に戻る。
【００４４】
Ｓ２１でＹＥＳの後のＳ２２では、制御部２０が、冷蔵庫２と携帯端末３の間で通信部２３、３３を介した近距離無線通信が実行可能な状態であるか否かを判断する。冷蔵庫２と携帯端末３が第３の距離Ｌ３の範囲内まで接近している場合は、冷蔵庫２と携帯端末３の間で近距離無線通信が実行可能な状態である。近距離無線通信が実行可能な状態である場合は、Ｓ２２で制御部２０がＹＥＳと判断してＳ２４に進む。そうでない場合は、Ｓ２２で制御部２０がＮＯと判断して広告関連情報供給処理を終了する。例えば、携帯端末３を所持した人Ｍが冷蔵庫２から第３の距離Ｌ３の範囲内まで接近したものの、その後に、その人Ｍが冷蔵庫２から離れて第３の距離Ｌ３の範囲外に移動した場合は、Ｓ２２で制御部２０がＮＯと判断する。
【００４５】
続くＳ２４では、制御部２０が、上記のＳ２１でタッチ操作された広告画面（例えばＤ１）に関連する広告関連情報を携帯端末３に供給する。制御部２０は、上記のＳ２０で取得した端末特定情報によって特定される携帯端末３に広告関連情報を供給する。すなわち、制御部２０は、冷蔵庫２から第３の距離Ｌ３の範囲内に存在する携帯端末３に広告関連情報を供給する。供給される広告関連情報は、上記のＳ２１でタッチ操作された広告画面（例えばＤ１）に関連する情報である。例えば、広告関連情報は、人参の値段や生産地等の情報である。以上より、広告関連情報供給処理が終了する。
【００４６】
（広告関連情報表示処理；図７）
次に、上記の冷蔵庫システム１で実行される広告関連情報表示処理について説明する。図７は、広告関連情報表示処理のフローチャートである。広告関連情報表示処理は、例えば、携帯端末３の電源がオンになると開始される。図７に示すように、広告関連情報表示処理のＳ３０では、携帯端末３の制御部３０が、上記の広告関連情報供給処理（図６参照）のＳ２４で冷蔵庫２から供給された広告関連情報を取得したか否かを判断する。携帯端末３の制御部３０は、通信部２３、３３を介した近距離無線通信によって、冷蔵庫２から広告関連情報を取得することができる。制御部３０は、広告関連情報を取得した場合は、Ｓ３０でＹＥＳと判断してＳ３１に進む。そうでない場合は、Ｓ３０で制御部３０がＮＯと判断して待機する。
【００４７】
続くＳ３１では、制御部３０が、上記のＳ３０で取得した広告関連情報を携帯端末３の操作表示部３４に表示する。例えば、制御部３０は、図８に示すように、人参の値段や生産地等の情報（広告関連情報）を操作表示部３４に表示する。また、図７に示すＳ３１では、制御部３０が、取得した広告関連情報を携帯端末３の記憶部３１に記憶する。以上より、広告関連情報表示処理が終了する。
【００４８】
以上、第２実施例について説明した。上記の説明から明らかなように、第２実施例では、冷蔵庫２の制御部２０が、操作表示部２４の周縁部に表示した広告画面（例えばＤ１（図５参照））がタッチ操作された場合は、タッチ操作された広告画面Ｄ１に関連する広告関連情報（例えば、人参の値段や生産地等の情報）を通信部２３、３３を介した近距離無線通信によって携帯端末３に供給する（図６のＳ２１でＹＥＳ、Ｓ２２でＹＥＳ、Ｓ２４参照）。携帯端末３の制御部３０は、近距離無線通信によって冷蔵庫２から供給された広告関連情報を取得し、取得した広告関連情報を操作表示部３４に表示する（図７のＳ３０でＹＥＳ、Ｓ３１、図８参照）。
【００４９】
この構成によれば、冷蔵庫２及び携帯端末３のユーザによってタッチ操作された広告画面（例えばＤ１）に関連する広告関連情報（例えば、人参の値段や生産地等の情報）を携帯端末３の操作表示部３４に表示することができる。そのため、冷蔵庫２及び携帯端末３のユーザが興味を示した広告画面に関連する広告関連情報をユーザに提示することができる。
【００５０】
（第３実施例）
第３実施例に係る冷蔵庫システム１について説明する。第３実施例に係る冷蔵庫システム１では、携帯端末３の記憶部３１に、冷蔵庫２と携帯端末３を関連付けるためのアプリケーション（以下「関連アプリ」という）が記憶されている。すなわち、携帯端末３に関連アプリがインストールされている。携帯端末３に関連アプリがインストールされていると、携帯端末３に関連する情報がネットワーク９０を介して冷蔵庫２に供給される。例えば、携帯端末３の端末特定情報や注文履歴情報等が冷蔵庫２に供給される。冷蔵庫２の制御部２０が、関連アプリがインストールされている携帯端末３の端末特定情報や注文履歴情報等を取得する。端末特定情報は、携帯端末３を特定するための情報である。注文履歴情報は、携帯端末３からネットワーク９０を介して注文された商品及び／又はサービスの注文履歴を特定する情報である。例えば、注文履歴情報は、携帯端末３から１週間前に１本の牛乳が注文されたことを特定する情報である。携帯端末３のユーザは、携帯端末３からネットワーク９０を介して、例えば、八百屋や、精肉店や、スーパー等が管理している外部のサーバに対して商品及び／又はサービスを注文することができる。なお、携帯端末３のユーザが端末特定情報や注文履歴情報を冷蔵庫２に供給するための特定の操作を実行した場合のみ、端末特定情報や注文履歴情報が冷蔵庫２に供給される構成であってもよい。端末特定情報や注文履歴情報は、携帯端末３から冷蔵庫２に供給されてもよく、外部のサーバから冷蔵庫２に供給されてもよい。
【００５１】
冷蔵庫２の制御部２０は、ネットワーク９０を介して携帯端末３の端末特定情報や注文履歴情報を取得することができる。制御部２０は、取得した端末特定情報や注文履歴情報を記憶部２１に記憶する。
【００５２】
また、制御部２０は、携帯端末３の注文履歴情報に関連する特定広告情報をネットワーク９０を介して外部のサーバから取得することができる。特定広告情報は、携帯端末３の注文履歴情報に関連する広告の情報である。例えば、特定広告情報は、注文履歴情報が１週間前に１本の牛乳が注文されたことを特定する情報である場合は、牛乳の広告の情報である。また、制御部２０は、特定広告情報に関連する特定広告関連情報をネットワーク９０を介して外部のサーバから取得することができる。特定広告関連情報は、例えば、牛乳の値段や生産地等の情報である。制御部２０は、取得した特定広告情報や特定広告関連情報を記憶部２１に記憶する。
【００５３】
（特定広告画面表示処理；図９）
次に、上記の冷蔵庫システム１で実行される特定広告画面表示処理について説明する。図９は、特定広告画面表示処理のフローチャートである。特定広告画面表示処理は、例えば、冷蔵庫２の電源がオンになると開始される。図９に示すように、特定広告画面表示処理のＳ４０では、冷蔵庫２の制御部２０が、近距離無線通信によって携帯端末３の端末特定情報を取得したか否かを判断する。冷蔵庫２と携帯端末３が第３の距離Ｌ３の範囲内まで接近すると、冷蔵庫２と携帯端末３の間で通信部２３、３３を介した近距離無線通信が実行可能な状態になる（図１参照）。例えば、携帯端末３を所持した人Ｍ（冷蔵庫２及び携帯端末３のユーザ）が、冷蔵庫２から第３の距離Ｌ３の範囲内まで接近すると、冷蔵庫２と携帯端末３の間で近距離無線通信が実行可能な状態になる。近距離無線通信が実行可能な状態になると、冷蔵庫２の制御部２０が、携帯端末３の記憶部３１に記憶されている端末特定情報を自動的に取得する。制御部２０は、近距離無線通信によって端末特定情報を取得した場合は、Ｓ４０でＹＥＳと判断してＳ４１に進む。そうでない場合は、Ｓ４０で制御部２０がＮＯと判断して待機する。冷蔵庫２と携帯端末３が第３の距離Ｌ３の範囲内まで接近していない場合は、Ｓ４０で制御部２０がＮＯと判断する。
【００５４】
続くＳ４１では、制御部２０が、操作表示部２４の中央部に特定広告画面を表示する。制御部２０は、操作表示部２４に１個又は複数個の特定広告画面を表示する。制御部２０は、記憶部２１に記憶されている端末特定情報、注文履歴情報及び特定広告情報に基づいて、操作表示部２４に特定広告画面を表示する。より詳細には、制御部２０は、上記のＳ４０で取得した端末特定情報と、記憶部２１に記憶されている端末特定情報とを照合して、Ｓ４０で取得した端末特定情報と一致する端末特定情報を記憶部２１から抽出する。Ｓ４０で取得した端末特定情報は、制御部２０が近距離無線通信によって携帯端末３から取得した端末特定情報である。記憶部２１に記憶されている端末特定情報は、関連アプリがインストールされている携帯端末３からネットワーク９０を介して冷蔵庫２に供給された端末特定情報である。
【００５５】
次に、制御部２０は、記憶部２１から抽出した端末特定情報によって特定される携帯端末３の注文履歴情報を記憶部２１から抽出する。また、制御部２０は、記憶部２１から抽出した注文履歴情報に関連する特定広告情報を同様に記憶部２１から抽出する。注文履歴情報は、例えば、１週間前に１本の牛乳が注文されたことを特定する情報である。特定広告情報は、例えば、牛乳の広告の情報である。図９に示すＳ４１では、制御部２０が、記憶部２１から抽出した特定広告情報に基づいて操作表示部２４の中央部に特定広告画面を表示する。例えば、制御部２０は、図１０に示すように、牛乳の特定広告画面Ｅ１を操作表示部２４の中央部に表示する。
【００５６】
図９に示すように、続くＳ４２では、制御部２０が、操作表示部２４の中央部に表示されている特定広告画面Ｅ１（図１０参照）がタッチ操作されたか否かを判断する。特定広告画面Ｅ１がタッチ操作された場合は、Ｓ４２で制御部２０がＹＥＳと判断してＳ４３に進む。例えば、冷蔵庫２に接近した人Ｍ（冷蔵庫２及び携帯端末３のユーザ）が、操作表示部２４の中央部に表示されている特定広告画面Ｅ１をタッチ操作すると、制御部２０がＹＥＳと判断する。一方、特定広告画面Ｅ１がタッチ操作されない場合は、Ｓ４２で制御部２０がＮＯと判断してＳ４４に進む。
【００５７】
Ｓ４２でＮＯの後のＳ４４では、制御部２０が、上記のＳ４１で特定広告画面Ｅ１を操作表示部２４に表示してから所定時間が経過したか否かを判断する。所定時間は、例えば３分である。所定時間が経過した場合は、Ｓ４４で制御部２０がＹＥＳと判断してＳ４６に進む。そうでない場合は、Ｓ４４で制御部２０がＮＯと判断してＳ４２に戻る。
【００５８】
Ｓ４４でＹＥＳの後のＳ４６では、制御部２０が、操作表示部２４に表示していた特定広告画面Ｅ１を消去する。そのため、操作表示部２４に特定広告画面Ｅ１が表示されなくなる。その後、制御部２０は、特定広告関連情報表示処理を終了する。
【００５９】
Ｓ４２でＹＥＳの後のＳ４３では、制御部２０が、冷蔵庫２と携帯端末３の間で通信部２３、３３を介した近距離無線通信が実行可能な状態であるか否かを判断する。冷蔵庫２と携帯端末３が第３の距離Ｌ３の範囲内まで接近している場合は、冷蔵庫２と携帯端末３の間で近距離無線通信が実行可能な状態である。近距離無線通信が実行可能な状態である場合は、Ｓ４３で制御部２０がＹＥＳと判断してＳ４５に進む。そうでない場合は、Ｓ４３で制御部２０がＮＯと判断してＳ４６に進む。例えば、携帯端末３を所持した人Ｍが冷蔵庫２から第３の距離Ｌ３の範囲内まで接近したものの、その後に、その人Ｍが冷蔵庫２から第３の距離Ｌ３の範囲外に移動した場合は、Ｓ４３で制御部２０がＮＯと判断する。Ｓ４６では制御部２０が、操作表示部２４に表示していた特定広告画面Ｅ１を消去する。
【００６０】
Ｓ４３でＹＥＳの後のＳ４５では、制御部２０が、上記のＳ４２でタッチ操作された特定広告画面Ｅ１に関連する特定広告関連情報を携帯端末３に供給する。制御部２０は、上記のＳ４０で取得した端末特定情報によって特定される携帯端末３に特定広告関連情報を供給する。すなわち、制御部２０は、冷蔵庫２から第３の距離Ｌ３の範囲内に存在する携帯端末３に特定広告関連情報を供給する。供給される特定広告関連情報は、上記のＳ４２でタッチ操作された特定広告画面Ｅ１に関連する情報である。例えば、特定広告関連情報は、牛乳の値段や生産地等の情報である。以上より、特定広告関連情報表示処理が終了する。
【００６１】
（特定広告関連情報表示処理；図１１）
次に、上記の冷蔵庫システム１で実行される特定広告関連情報表示処理について説明する。図１１は、特定広告関連情報表示処理のフローチャートである。特定広告関連情報表示処理は、例えば、携帯端末３の電源がオンになると開始される。図１１に示すように、特定広告関連情報表示処理のＳ５０では、携帯端末３の制御部３０が、上記の特定広告関連情報表示処理（図９参照）のＳ４５で冷蔵庫２から供給された特定広告関連情報を取得したか否かを判断する。携帯端末３の制御部３０は、通信部２３、３３を介した近距離無線通信によって、冷蔵庫２から特定広告関連情報を取得することができる。制御部３０は、特定広告関連情報を取得した場合は、Ｓ５０でＹＥＳと判断してＳ５１に進む。そうでない場合は、Ｓ５０で制御部３０がＮＯと判断して待機する。
【００６２】
続くＳ５１では、制御部３０が、上記のＳ５０で取得した特定広告関連情報を携帯端末３の操作表示部３４に表示する。例えば、制御部３０は、図１２に示すように、牛乳の値段や生産地等の情報（特定広告関連情報）を操作表示部３４に表示する。また、Ｓ５１では、制御部３０が、取得した特定広告関連情報を携帯端末３の記憶部３１に記憶する。以上より、特定広告関連情報表示処理が終了する。
【００６３】
以上、第３実施例について説明した。上記の説明から明らかなように、第３実施例では、冷蔵庫２の制御部２０が、関連アプリによって冷蔵庫２と関連付けられている携帯端末３が冷蔵庫２と近距離無線通信を実行可能な範囲内に存在する場合は、その携帯端末３から注文された商品及び／又はサービスの注文履歴を特定する注文履歴情報に関連する特定広告画面Ｅ１を操作表示部３４の中央部に表示する（図９のＳ４０でＹＥＳ、Ｓ４１、図１０参照）。この構成によれば、携帯端末３が冷蔵庫２に接近したときに、その携帯端末３の注文履歴情報に関連する特定広告画面Ｅ１を冷蔵庫２の操作表示部２４に表示することができる。そのため、商品及び／又はサービスの注文履歴に応じた特定広告画面Ｅ１をユーザに提示することができる。
【００６４】
また、第３実施例では、冷蔵庫２の制御部２０が、操作表示部２４の中央部に表示した特定広告画面Ｅ１がタッチ操作された場合は、タッチ操作された特定広告画面Ｅ１に関連する特定広告関連情報（例えば、牛乳の値段や生産地等の情報）を通信部２３、３３を介した近距離無線通信によって関連アプリによって冷蔵庫２と関連付けられている携帯端末３に供給する（図９のＳ４２でＹＥＳ、Ｓ４３でＹＥＳ、Ｓ４５参照）。携帯端末３の制御部３０は、近距離無線通信によって供給された特定広告関連情報を取得し、取得した特定広告関連情報を操作表示部３４に表示する（図１１のＳ５０でＹＥＳ、Ｓ５１、図１２参照）。この構成によれば、冷蔵庫２及び携帯端末３のユーザによってタッチ操作された特定広告画面Ｅ１に関連する特定広告関連情報（例えば、牛乳の値段や生産地等の情報）を携帯端末３の操作表示部３４に表示することができる。そのため、冷蔵庫２及び携帯端末３のユーザの注文履歴に応じた特定広告画面Ｅ１に関連する特定広告関連情報をユーザに提示することができる。
【００６５】
（他の実施例）
上記の実施例では、人感センサ４が第１センサ４１及び第２センサ４２を備えていたが、他の実施例では、第１センサ４１及び第２センサ４２を備えていなくてもよい。１個のセンサで冷蔵庫本体４０から第１の距離Ｌ１の範囲内に存在する人Ｍと、第２の距離Ｌ２の範囲内に存在する人Ｍとをそれぞれ検出できる構成であってもよい。
【００６６】
冷蔵庫２と携帯端末３との間での近距離無線通信は、例えば、Ｂｌｕｅｔｏｏｔｈ（登録商標）方式の通信であってもよい。
【００６７】
（対応関係）
冷蔵庫２の通信部２３が「冷蔵庫通信部」の一例である。冷蔵庫２の制御部２０が「冷蔵庫制御部」の一例である。携帯端末３の通信部３３が「端末通信部」の一例である。携帯端末３の制御部３０が「端末制御部」の一例である。携帯端末３の記憶部３１が「端末記憶部」の一例である。
【００６８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６９】
１：冷蔵庫システム、２：冷蔵庫、３：携帯端末、４：人感センサ、２０：制御部、２１：記憶部、２３：通信部、２４：操作表示部、３０：制御部、３１：記憶部、３３：通信部、３４：操作表示部、４０：冷蔵庫本体、４１：第１センサ、４２：第２センサ、４３：扉、５０：端末本体、９０：ネットワーク
【図１】
2020193729.tif 000003
【図２】
2020193729.tif 000004
【図３】
2020193729.tif 000005
【図４】
2020193729.tif 000006
【図５】
2020193729.tif 000007
【図６】
2020193729.tif 000008
【図７】
2020193729.tif 000009
【図８】
2020193729.tif 000010
【図９】
2020193729.tif 000011
【図１０】
2020193729.tif 000012
【図１１】
2020193729.tif 000013
【図１２】
2020193729.tif 000014